(57)【要約】【課題】デッキフローリングを容易に施設可能とする敷板連結具の提供。【解決手段】敷板連結具１０は、略矩形状の台座１の前後両端部から上方へ延出して保持部２がそれぞれ形成され、板材がはめ込まれる上方に開口した略コ字形状の嵌合部が左右方向に形成されている。保持部２は、上方に行くに従って内向きに若干傾斜している。台座１の前端には、左右方向に凸状の係合部３が一体形成されており、後端には、前記係合部３に適合した凹溝からなる被係合部４が左右方向に形成されている。保持部２の対向する内側の面には、頂点を内向きに向けた複数の小さい三角形状の突条５が形成されている。【選択図】　　　図１
2004036278.tif 000002
【特許請求の範囲】
【請求項１】
板材を架け渡すために使用される敷板連結具であって、
前記板材をはめ込まれる上方に開口した略コ字形状の嵌合部が左右方向に形成され、
前端には、左右方向に凸状の係合部が形成されており、
後端には、前記係合部に適合した凹溝からなる被係合部が左右方向に形成されている
ことを特徴とする敷板連結具。
【請求項２】
前記係合部及び被係合部は、横向き略Ｔ字形状に形成されており、
係合部は、被係合部に左右方向にスライドして係合される
ことを特徴とする請求項１に記載の敷板連結具。
【請求項３】
左右両側端の内、少なくとも一方にも、前記係合部又は被係合部に係合可能な凸部又は凹溝が形成されている
ことを特徴とする請求項１又は請求項２に記載の敷板連結具。
【請求項４】
左右両側端の内、少なくとも一方には、敷板連結具同士を直角に連結するための連接具が固定される被接続部が形成されており、
この連接具には、前記係合部又は被係合部に係合可能な凸部又は凹溝が形成されている
ことを特徴とする請求項１又は請求項２に記載の敷板連結具。
【請求項５】
前記略コ字形状嵌合部の開放両端部の対向面には、左右方向に沿って突条が形成されている
ことを特徴とする請求項１から請求項４までのいずれかに記載の敷板連結具。
【請求項６】
下面に、滑り止めが設けられている
ことを特徴とする請求項１から請求項５までのいずれかに記載の敷板連結具。
【請求項７】
請求項４に記載の敷板連結具に設けられる連接具であって、
一端には、前記被接続部に係合可能な接続部が形成され、
他端には、前記係合部又は被係合部に係合可能な凸部又は凹溝が形成されている
ことを特徴とする敷板連結具用連接具。
【発明の詳細な説明】
【０００１】
【発明の属する技術分野】
本発明は、主としてベランダやバルコニー等の床に木製すのこ状のデッキフローリングを施設するための敷板連結具に関するものである。
【０００２】
【従来の技術】
近年、集合住宅や戸建住宅のベランダ、テラス、バルコニー等の床にデッキフローリングを設置する家庭が増えてきている。その設置方法としては、例えば、ベランダ等の床に根太を組んで、その上に木材（デッキフローリング）を木ネジ等で固定する方法や、ホームセンター等で入手できる、３０センチ角や４５センチ角の既製のウッドタイルと一般に呼ばれるすのこ状の製品を床に敷く方法がある。
【０００３】
【発明が解決しようとする課題】
しかしながら、根太を組んで、その上にデッキフローリングを木ネジ等で固定する方法（固定式）は、それなりの技術を要する工事であるため、専門業者に設計及び工事を依頼することになる。そのため、工事には相応の時間がかかり、材料費とは別途に相応の工事費用が発生してしまう。また、ベランダ等の床に根太の設置が必要なため、工事の最中に根太が床面の防水被膜を傷つけ、水漏れの原因となることがある。
【０００４】
さらに、集合住宅の場合、法律に定める区分所有法に基づいて個々の集合住宅で定められる管理規約では、ベランダ等は共用部分と規定され、個人に所属する物品等を置く際には、管理組合の了解が必要である場合が多い。また、この方法（固定式）で設置した場合、施工後、共用部分として何らかの問題が発生し、撤去を求められた場合、再度多大な費用が発生してしまう。加えて、この方法で設置した場合、ベランダ等の床面の清掃や改修をするにしても、取外しに時間と労力が必要なため容易にはできない。
【０００５】
ホームセンター等で購入したウッドタイルを施工する方法（置き並べ式）では、単に置き並べるだけであるので、使用するうちに各個の位置がずれ動くことが考えられる。また、ベランダなどの床面との間に空間があるものの、この製品の組合せ方によって、水の流れが複雑になり容易に排水できない。さらに、裏面の桟から木ネジや釘で表面のデッキ部を留めているので、その木ネジや釘の頭がベランダ等の表面を傷つけ水漏れの原因となることが考えられる。また、既製品であるため、切断してサイズを変更することができず、サイズに種類も少なく敷き置いたときの形状に限りがでてしまう。このため、避難口や排水口を塞がない形状にすることが容易ではない。
【０００６】
本発明は上記事情に鑑みてなされたものであり、その主たる目的は、デッキフローリングを容易に施設可能とする敷板連結具を提供することにある。
【０００７】
【課題を解決するための手段】
上記目的を達成するために、本発明の敷板連結具は、板材を架け渡すために使用される敷板連結具であって、前記板材をはめ込まれる上方に開口した略コ字形状の嵌合部が左右方向に形成され、前端には、左右方向に凸状の係合部が形成されており、後端には、前記係合部に適合した凹溝からなる被係合部が左右方向に形成されていることを特徴とする。
【０００８】
また、好ましくは上記構成に加えて、前記係合部及び被係合部は、横向き略Ｔ字形状に形成されており、係合部は、被係合部に左右方向にスライドして係合されることを特徴とする敷板連結具である。
【０００９】
また、好ましくは上記構成に加えて、左右両側端の内、少なくとも一方にも、前記係合部又は被係合部に係合可能な凸部又は凹溝が形成されていることを特徴とする敷板連結具である。
【００１０】
一層好ましくは上記構成に加えて、前記略コ字形状嵌合部の開放両端部の対向面には、左右方向に沿って突条が形成されていることを特徴とする敷板連結具である。
【００１１】
また、好ましくは上記構成に加えて、下面に、滑り止めが設けられていることを特徴とする敷板連結具である。
【００１２】
【発明の実施の形態】
以下、本発明の敷板連結具について、実施例に基づき更に詳細に説明する。
図１は、本発明の敷板連結具の第１実施例を示す斜視図であり、図２は、図１の敷板連結具を連結した状態を示す斜視図であり、図３は、図１の敷板連結具の使用状態を示す側面図であり、図４は、図１の敷板連結具の使用状態を示す斜視図である。
【００１３】
本実施例の敷板連結具１０は、略矩形状の台座１の前後両端部から上方へ延出して保持部２がそれぞれ一体形成されており、台座１と前後の保持部２，２とによって板材（角材）がはめ込まれる上方に開口した略コ字形状の嵌合部が左右方向に形成されている。保持部２は、上方に行くに従って内向きに若干傾斜している。台座１の前端には、左右方向に凸状の係合部３が一体形成されており、後端には、前記係合部３に適合した凹溝からなる被係合部４が左右方向に形成されている。
【００１４】
係合部３は、台座１の前端から前方に水平に延出する延出片３ａと、その延出片３ａの先端部から上下方向に延出する膨大部３ｂとからなり、横向き略Ｔ字形状に形成されている。また、被係合部４は、係合部３に適合した横向き略Ｔ字形状の溝とされる。
【００１５】
保持部２の対向する内側の面には、頂点を内向きに向けた複数の小さい三角形状の突条５が上下に３本並んで形成されている。この各突条５は、左右方向に伸びて形成されている。なお、敷板連結具１０は、合成樹脂で形成されており、台座１の下面には、浅い凹所６が左右に連続して形成され、凹所６には、凹所６の深さよりわずかに厚さの厚いゴム等からなる滑り止め７が貼り付けられている。
【００１６】
本実施例の敷板連結具１０を使用してデッキフローリングを敷設する方法について説明する。
デッキフローリングを設置するベランダ等に板材８を架け渡すように左右に、例えば５０ｃｍ又は１００ｃｍ離間して敷板連結具１０をそれぞれ設置する。そして、ベランダの幅に合わせて敷板連結具１０の前後方向の連結数を決めて、敷板連結具１０，１０同士を図２に示すように連結する。敷板連結具１０，１０同士を連結するには、一方の敷板連結具１０の係合部３を他方の敷板連結具１０の被係合部４に左右方向にスライドさせて係合する。このように連結された敷板連結具１０，１０同士は、上下方向の力がかかっても、連結が外れることがなく、前後方向に力がかかっても係合部３の膨大部３ｂが被係合部４の溝に引っ掛かり外れることがない。
【００１７】
そして、板材８を敷板連結具１０に対して上方からはめ込むことで、敷板連結具１０に板材８を設置する。使用する板材８は、台座１の前後両端部に形成された保持部２，２の上端部の間隔より若干大きいものを使用することが好ましい。板材８を敷板連結具１０にはめ込むと、内向きに傾斜していた保持部２，２が、若干外側に反ることで板材８をはめ込むことができる。そして、はめ込まれた板材８は、その両側面を保持部２に形成された突条５に、それぞれ内側に締め付けられ、挟み込まれるので強固に固定される。
【００１８】
このようにして、左右に離間して配置された敷板連結具１０，１０を架け渡すように板材８を固定することで、デッキフローリングを設置することができる。なお、板材８の両端部にだけでなく、その中央部や板材８の中途に本敷板連結具１０を複数個設置してもよい。これにより、板材８が長い場合などにおこるたわみを防止することができる。
【００１９】
次に、敷板連結具の第２実施例について説明する。
図５は、本発明の敷板連結具の第２実施例を示す斜視図であり、（ａ）は、左から見た斜視図であり、（ｂ）は、右から見た斜視図である。図６は、第１実施例（図１）と第２実施例（図５）の敷板連結具を組み合わせて使用した状態を示す図である。
この第２実施例の敷板連結具２０は、基本的な構造は、第１実施例の敷板連結具１０と変わりがないので、以下、両者の異なる点を中心に説明する。
この敷板連結具２０は、その左右両側端にも、係合部と被係合部が形成されている。例えば、左側端に、前端に形成された係合部３と同様の略横向きＴ字形状の係合部１１が前後方向に形成されており、右側端に、後端に形成された被係合部４と同様の略横向きＴ字形状の溝からなる被係合部１２が前後方向に形成されている。
【００２０】
第１実施例の敷板連結具１０と第２実施例の敷板連結具２０を組み合わせて使用することで、図６に示すように、板材８，８同士を直角に配置して敷設することが可能となる。すなわち、まず、例えば第１実施例の敷板連結具１０を前後に４個連結したものを左右に離間してそれぞれ配置し、図６に示すように、板材８をすのこ状に左右方向に設置する（Ａ）。
【００２１】
そして、Ａと同様に、図６に示すように、板材８をすのこ状に前後方向に設置する（Ｂ）。このとき、連結された第１実施例の敷板連結具１０の内、端に配置される敷板連結具の１つを第２実施例の敷板連結具２０に変更する。また、板材８を左右方向に設置した前記Ａにおいて、連結された敷板連結具１０の内、端に配置される敷板連結具１０Ａの係合部３又は被係合部４のどちらか一方は使用されていない。この使用されていない係合部３又は被係合部４に、前記Ｂで変更した第２実施例の敷板連結具２０の左右両側端に形成された係合部１１又は被係合部１２を連結する。これにより、板材８，８同士を直角に配置することができる。
【００２２】
なお、第２実施例では、敷板連結具２０の左右両側端に、係合部１１又は被係合部１２が形成された場合について説明したが、左右のいずれかの側端にだけ係合部１１若しくは被係合部１２を形成するようにしても構わない。
【００２３】
次に、第３実施例の敷板連結具３０について説明する。この敷板連結具３０は、図７に示すように、各保持部２，２の対向する内側の面には、略直角三角形状の突条１５が形成されており、板材８を挟み込むようにしている。つまり、各保持部２，２の対向面は、内側に略水平に延出（１５ａ）し、上方に行くに従って、外側に傾斜（１５ｂ）した形状に形成されている。これにより、板材８をはめ込む際は容易であるが、一旦はめ込むと抜け難くい構造となっている。
【００２４】
さらに、第４実施例の敷板連結具４０について説明する。この敷板連結具４０は、図８に示すように、各保持部２，２の下端部から台座１が、例えば０．５〜１ｍｍ程度前後方向に外方へ延出（１ａ）した形状とされている。この敷板連結具４０を連結した場合、隣接する敷板連結具４０，４０の間に隙間が生じる。よって、板材８をはめ込むことで発生する外側への圧力により保持部２が外側へ反り、隣接する敷板連結具４０の保持部２と接触することがない。また、この空間があることにより、複数の板材をはめ込み、固定した場合、はめ込みにより発生する外側への圧力が殺され、デッキフローリング全体が湾曲せず平らに設置することが可能となる。また、連結部位に遊びが設けてありベランダなどの床面の多少の凹凸にも密着し、設置されたデッキフローリングの上を歩いてもほとんど音は発生しない。
【００２５】
上記各実施例の敷板連結具１０，２０，３０，４０は、左右方向のスライドによる連結方法としていることから、板材８を設置した後、その上を人が歩いても、上下方向にがたつかず、敷板連結具同士が外れることがない。
【００２６】
また、各実施例の敷板連結具１０，２０，３０，４０は、一対の敷板連結具に対して、１本の板材を保持する構成とし、各敷板連結具同士の連結は容易であるので、デッキフローリングを設置する場所に合わせて敷板連結具を連結しておき、板材をはめ込むだけでよい。また、板材の増減も敷板連結具の連結数を変更するだけでよく、容易に変更可能である。
【００２７】
さらに、板材の長さが足りずに、もう１本継ぎ足す場合でも、１つの敷板連結具に、各板材のそれぞれの端をはめ込めばよい。これにより、簡単に板材を継ぎ足すことが可能である。
【００２８】
各実施例の敷板連結具１０，２０，３０，４０を使用する際には、板材の長さを選ばないので、長さの組合せにより図９のようにデッキフローリングを設置することや、図１０に示すように、平行又は直角方向へ連結することが可能であり、多様な設計及びデザインに対応することが可能である。
【００２９】
また、通常、デッキフローリングに使用する板材には硬く腐り難い木材を使用することが多いが、木ネジや釘で根太に固定するためには、板材にドリル等で下穴を開ける等の加工を施す必要がある。しかし、上述の各実施例の敷板連結具１０，２０，３０，４０は、上方に開口した略コ字形状の嵌合部に、板材８をはめ込み、保持部２，２に形成された突条５（１５）で板材８の側端部を締め付け固定する構造としている。
【００３０】
よって、板材に加工を施す必要がなく、木ネジや釘などを用いずにデッキフローリングを設置することが可能である。また、専門的な技術が不必要であり、短時間でデッキフローリングを設置することが可能である。さらに、木ネジ、釘、接着剤等を使用していないのでデッキフローリングの取り外しも容易に行なうことができる。よって、ベランダ等の床面の清掃も可能であり、配置やデザインを容易に変更可能である。
【００３１】
敷板連結具１０，２０，３０，４０は、合成樹脂製とし、下面に滑り止め用のゴム（７）を設置しており、金属を一切使用していない。よって、ベランダ等の床面を傷つけることがない。また、敷板連結具は、５０ｃｍ又は１００ｃｍの間隔で離間して配置されることで、デッキフローリングと床面との間に空間ができるので、水はけに対してなんら問題がない。さらに、敷板連結具は、板材の各個の長さに関係なく使用可能であるため、ベランダ等の固有の機能、形状に合わせてデッキフローリングを設置することが可能である。
【００３２】
板材を直角に連結する際に、第２実施例の敷板連結具２０を使用する方法を上述したが、第５実施例の敷板連結具５０を使用する方法について説明する。
図１１は、この第５実施例の敷板連結具５０を示す斜視図であり、図１２は、敷板連結具５０に敷板連結具用連接具を接続した状態を示す斜視図である。
【００３３】
この第５実施例の敷板連結具５０は、基本的な構造は、第１実施例の敷板連結具１０と変わりがないので、以下、両者の異なる点を中心に説明する。
この敷板連結具５０は、台座１の左右両側端に、平面視で略Ｔ字形状からなる凹状の被接続部５１，５１が互いに向かい合って形成されている。この被接続部５１には、敷板連結具用連接具６０の一端が接続される。
【００３４】
この敷板連結具用連接具６０は、一端に敷板連結具５０に形成された被接続部５１に係合可能な平面視で略Ｔ字形状からなる接続部６１が形成されている。また、他端には、台座１に形成された係合部３と同様の横向き略Ｔ字形状の係合部６２が形成されている。なお、係合部６２の代わりに、台座１に形成された被係合部４と同様の横向き略Ｔ字形状の溝（被係合部）を形成しても構わない。
【００３５】
図１３は、第５実施例の敷板連結具５０と第１実施例の敷板連結具１０を直角に接続した状態を示す斜視図であり、図１４は、図１３のＩ−Ｉ断面図である。この敷板連結具５０の前後方向への連結方法は、前述してきた各実施例の敷板連結具１０，２０，３０，４０と変わりがない。
敷板連結具５０を使用して直角に板材を連結する場合には、台座１の側端に形成された被接続部５１に、敷板連結具用連接具６０の接続部６１を上方から差込む。そして、敷板連結具用連接具６０の係合部６２に、上記各実施例のいずれかの敷板連結具１０，２０，３０，４０，５０の被係合部を左右方向にスライドさせて係合する。これにより、敷板連結具５０と各実施例の敷板連結具１０，２０，３０，４０，５０を直角に連結することができ、板材を直角に配置して敷くことができる。
【００３６】
上記各実施例では、一対の敷板連結具に対して１本の板材を保持する構成であったが、図１５に示すように、各実施例の敷板連結具を２つ連結した形状としてもよい。この敷板連結具を使用することで、広い範囲にデッキフローリングを設置する場合に手早く行なうことが可能となる。また、３つ又はそれ以上連結した形状としてもよい。
【００３７】
なお、本発明の敷板連結具は、上記実施例の構成に限らず、適宜変更可能である。例えば、前端若しくは後端の一箇所だけに係合部若しくは被係合部を形成するようにしても構わない。この敷板連結具は、複数個連結する敷板連結具の内、端に連結されることで係合部の出っ張り又は被係合部の溝が見えないので、見栄えがよくなる。また、係合部と被係合部による連結部に若干遊びをもたせても構わない。つまり、係合部の凸部より被係合部の凹溝を若干大きくすることで、床面に多少の段差がある場合でも、床面に沿ってデッキフローリングを設置することができる。
【００３８】
【発明の効果】
以上詳述したように、本発明の敷板連結具によれば、デッキフローリングを容易に施設することができる。
【図面の簡単な説明】
【図１】本発明の敷板連結具の第１実施例を示す斜視図である。
【図２】図１の敷板連結具を連結した状態を示す斜視図である。
【図３】図１の敷板連結具の使用状態を示す側面図である。
【図４】図１の敷板連結具の使用状態を示す斜視図である。
【図５】本発明の敷板連結具の第２実施例を示す斜視図であり、（ａ）は、左から見た斜視図であり、（ｂ）は、右から見た斜視図である。
【図６】図１と図５の敷板連結具を組み合わせて使用した状態を示す図である。
【図７】本発明の敷板連結具の第３実施例を示す側面図である。
【図８】本発明の敷板連結具の第４実施例を示す斜視図である。
【図９】各実施例の敷板連結具の別の使用状態を示す平面図である。
【図１０】図１と図５の敷板連結具を組み合わせて使用した別の状態を示す図である。
【図１１】本発明の敷板連結具の第５実施例を示す斜視図である。
【図１２】図１１の敷板連結具に敷板連結具用連接具を接続した状態を示す斜視図である。
【図１３】第５実施例の敷板連結具と第１実施例の敷板連結具を直角に接続した状態を示す斜視図である。
【図１４】図１３のＩ−Ｉ断面図である。
【図１５】本発明の敷板連結具のさらに別の実施例を示す側面図である。
【符号の説明】
１　台座
２　保持部
３　係合部
４　被係合部
５　突条
６　凹所
７　滑り止め
８　板材
１０　（第１実施例）敷板連結具
１１　係合部
１２　被係合部
１５　突条
２０　（第２実施例）敷板連結具
３０　（第３実施例）敷板連結具
４０　（第４実施例）敷板連結具
５０　（第５実施例）敷板連結具
５１　被接続部
６０　敷板連結具用連接具
６１　接続部
６２　係合部
【図１】
2004036278.tif 000003
【図２】
2004036278.tif 000004
【図３】
2004036278.tif 000005
【図４】
2004036278.tif 000006
【図５】
2004036278.tif 000007
【図６】
2004036278.tif 000008
【図７】
2004036278.tif 000009
【図８】
2004036278.tif 000010
【図９】
2004036278.tif 000011
【図１０】
2004036278.tif 000012
【図１１】
2004036278.tif 000013
【図１２】
2004036278.tif 000014
【図１３】
2004036278.tif 000015
【図１４】
2004036278.tif 000016
【図１５】
2004036278.tif 000017